(57)【要約】【課題】電解水生成装置の省スペース化を実現しつつ、溶液を収納するタンクのメンテナンスなどの操作性を高める。【解決手段】電解水生成装置１は、収納室１０１と、電気分解部１０２と、収納室１０１及び電気分解部１１０を収納する筐体１０７と、収納室１０１と電気分解部１１０とを接続する相互接続部１０９と、原水供給管１１３と、電解水排出管１１１，１１２とを備えている。更に回転軸１０６が設けられており、収納室１０１を筐体１０７の前面において鉛直方向Ｚを軸として回動自在に取り付ける。回転軸１０６回りの回動方向Ｊに沿って移動できるので、収納室１０１は鉛直方向Ｚにぶれることなく、前面に引き出すことができる。従って、電解水生成装置１の省スペース化を実現でき、しかも収納室１０１に溶液が収納されている状態で引き出しても、溶液をこぼすことがない。【選択図】図１
2006015303.tif 000002
【特許請求の範囲】
【請求項１】
電解質（Ｓ）が溶解された溶液（Ｌ）を収納する収納室（１０１）と、
前記溶液を電気分解して電解水を生成する電気分解部（１１０）と、
前記収納室及び前記電気分解部を収納する筐体（１０７）と、
前記収納室を前記筐体の所定の側面において、鉛直方向（Ｚ）を軸として回動自在に取り付ける第１回転軸（１０６）と
を備える電解水生成装置。
【請求項２】
前記収納室（１０１）を、前記溶液（Ｌ）の溶媒が供給される第１室（１０２）と、前記電解質及び前記溶液を収納する第２室（１０３）へと連通可能に区画する隔壁（１０５）と、
前記隔壁を、前記第１室から前記第２室へと向かう方向（Ｐ）及び前記鉛直方向（Ｚ）のいずれにも交差する方向（Ｑ）を軸として回動自在に前記収納室に取り付ける第２回転軸（１０４）と
を更に備える、請求項１記載の電解水生成装置。
【請求項３】
前記収納室（１０１）は
外箱（３０１）と、
前記外箱に包まれて着脱可能な内箱（３００）と
を有し、
前記隔壁（１０５）は前記内箱を前記第１室（１０２）及び前記第２室（１０３）へと区画し、
前記第２回転軸（１０４）は前記外箱に設けられる、請求項２記載の電解水生成装置。
【請求項４】
前記隔壁に取り付けられ、前記溶液を前記電気分解部（１１０）へ供給する溶液運搬管（１０９ｃ）
を更に備える、請求項２及び請求項３のいずれか一つに記載の電解水生成装置。
【請求項５】
前記隔壁に取り付けられ、前記溶液の溶媒を前記第１室（１０２）へと供給する溶媒供給管（１０９ａ）
を更に備える、請求項２乃至請求項４のいずれか一つに記載の電解水生成装置。
【請求項６】
前記隔壁に取り付けられ、前記溶液の量を測定する溶液量測定部（１０９ｂ）
を更に備える、請求項２乃至請求項５のいずれか一つに記載の電解水生成装置。
【請求項７】
前記電解質は塩化ナトリウムであり、前記溶媒は水である、請求項１乃至請求項６のいずれか一つに記載の電解水生成装置。
【発明の詳細な説明】
【技術分野】
【０００１】
本発明は電解水生成装置に関し、特に電気分解して電解水を得るための溶液を収納する技術に関する。
【背景技術】
【０００２】
塩化ナトリウム等の電解質を水などの溶媒に溶解して得られた溶液を、電気分解することにより、電解水を得る技術が提供されている。例えば食塩水タンクと電気分解を行う機構とを別体にする技術が特許文献１に開示されている。
【０００３】
【特許文献１】特開平１０−２９６２５８号公報
【発明の開示】
【発明が解決しようとする課題】
【０００４】
しかし、収納スペースを小さくする観点からは、溶液を収納するタンクと電気分解を行う機構とを同じ筐体に収納することが望ましい。その一方、タンクが収納する溶液は、電解質の補充等のメンテナンスが必要であり、筐体から引き出せることが望ましい。しかもタンクに溶液が入っている状態でも、溶液をこぼすことなく筐体から引き出せることが望ましい。
【０００５】
本発明はかかる観点に鑑みてなされたもので、電解水生成装置の省スペース化を実現しつつ、溶液を収納するタンクのメンテナンスなどの操作性を高めることを目的とする。
【課題を解決するための手段】
【０００６】
この発明にかかる電解水生成装置の第１の態様は、電解質（Ｓ）が溶解された溶液（Ｌ）を収納する収納室（１０１）と、前記溶液を電気分解して電解水を生成する電気分解部（１１０）と、前記収納室及び前記電気分解部を収納する筐体（１０７）と、前記収納室を前記筐体の所定の側面において、鉛直方向（Ｚ）を軸として回動自在に取り付ける第１回転軸（１０６）とを備える。
【０００７】
この発明にかかる電解水生成装置の第２の態様は、第１の態様にかかる電解水生成装置であって、前記収納室（１０１）を、前記溶液（Ｌ）の溶媒が供給される第１室（１０２）、前記電解質及び前記溶液を収納する第２室（１０３）へと連通可能に区画する隔壁（１０５）と、前記隔壁を、前記第１室から前記第２室へと向かう方向（Ｐ）及び前記鉛直方向（Ｚ）のいずれにも交差する方向（Ｑ）を軸として回動自在に前記収納室に取り付ける第２回転軸（１０４）とを更に備える。
【０００８】
この発明にかかる電解水生成装置の第３の態様は、第２の態様にかかる電解水生成装置であって、前記収納室（１０１）は外箱（３０１）と、前記外箱に包まれて着脱可能な内箱（３００）とを有する。前記隔壁（１０５）は前記内箱を前記第１室（１０２）及び前記第２室（１０３）へと区画し、前記第２回転軸（１０４）は前記外箱に設けられる。
【０００９】
この発明にかかる電解水生成装置の第４の態様は、第２の態様及び第３の態様にかかる電解水生成装置であって、前記隔壁に取り付けられ、前記溶液を前記電気分解部（１１０）へ供給する溶液運搬管（１０９ｃ）を更に備える。
【００１０】
この発明にかかる電解水生成装置の第５の態様は、第２の態様乃至第４の態様にかかる電解水生成装置であって、前記隔壁に取り付けられ、前記溶液の溶媒を前記第１室（１０２）へと供給する溶媒供給管（１０９ａ）を更に備える。
【００１１】
この発明にかかる電解水生成装置の第６の態様は、第２の態様乃至第５の態様にかかる電解水生成装置であって、前記隔壁に取り付けられ、前記溶液の量を測定する溶液量測定部（１０９ｂ）を更に備える。
【００１２】
例えば前記電解質は塩化ナトリウムであり、前記溶媒は水である。
【発明の効果】
【００１３】
この発明にかかる電解水生成装置の第１の態様によれば、収納室と電気分解部とが同じ筐体に収められるので、省スペース化が実現できる。しかも収納室が鉛直方向を軸として回動自在であるので、収納室に収納された溶液をこぼすことなく、収納室を筐体の側面から引き出すことができる。これにより、電解質を収納室へ容易に追加できる。
【００１４】
この発明にかかる電解水生成装置の第２の態様によれば、第１室と第２室とを区画する隔壁が第２回転軸を中心に回動できるので、筐体の側面から引き出した収納室に対するメンテナンスを行いやすい。
【００１５】
この発明にかかる電解水生成装置の第３の態様によれば、隔壁を第２回転軸を中心に回動させて収納室の上方を開放し、内箱を外箱から取り出して洗浄できる。
【００１６】
この発明にかかる電解水生成装置の第４の態様によれば、溶液運搬管が隔壁に取り付けられるので、隔壁を第２回転軸を中心に回動させることにより、溶液運搬管も収納室の外へと移動しやい。よって溶液運搬管に不要な張力やねじれを与えることなくメンテナンスを行いやすい。
【００１７】
この発明にかかる電解水生成装置の第５の態様によれば、溶媒供給管が隔壁に取り付けられるので、隔壁を第２回転軸を中心に回動させることにより、溶媒供給管も収納室の外へと移動しやい。よって溶媒供給管に不要な張力やねじれを与えることなくメンテナンスを行いやすい。
【００１８】
この発明にかかる電解水生成装置の第６の態様によれば、溶液量測定部が隔壁に取り付けられるので、隔壁を第２回転軸を中心に回動させることにより、溶液量測定部も収納室の外へと移動しやい。よって溶液量測定部に不要な張力やねじれを与えることなくメンテナンスを行いやすい。
【発明を実施するための最良の形態】
【００１９】
図１は本発明にかかる電解水生成装置１の構成の概略を示す斜視図である。電解水生成装置１は、収納室１０１と、電気分解部１０２と、収納室１０１及び電気分解部１１０を収納する筐体１０７と、収納室１０１と電気分解部１１０とを接続する相互接続部１０９と、原水供給管１１３と、電解水排出管１１１，１１２とを備えている。
【００２０】
図２は図１の位置II−IIにおける上方からの断面矢視図である。位置II−IIはほぼ収納室１０１の上端に位置する。収納室１０１は電気分解の対象となる溶液、例えば食塩水を収納する。電気分解部１１０は溶液を電気分解して電解水、例えば酸性水とアルカリ水とを生成し、それぞれ電解水排出管１１１，１１２から外部へと排出する。電気分解部１１０は電気的な制御を行う部分も収納しており、相互接続部１０９は収納室１０１から電気分解部１１０へと溶液を供給したり、溶液の量についての信号を伝達したりする。例えば原水供給管１１３には図示されないバルブが設けられ、上記電気的な制御を行う部分は収納室１０１における溶液の量に基づいて当該バルブを開閉する。これにより収納室１０１に供給される原水の量を調整することができる。
【００２１】
更に本発明では、回転軸１０６が設けられており、収納室１０１を筐体１０７の所定の側面、例えば前面において、鉛直方向Ｚを軸として回動自在に取り付ける。図１では前面側を方向Ｘにとり、三軸方向Ｘ，Ｙ，Ｚは右手系の直交座標を構成している。
【００２２】
回転軸１０６回りの回動方向Ｊに沿って移動できるので、収納室１０１は鉛直方向Ｚにぶれることなく、前面に引き出すことができる。従って、電解水生成装置１の省スペース化を実現しつつ、収納室１０１に溶液が収納されている状態で引き出しても、溶液をこぼすことがない。よって収納室１０１のメンテナンスなどの操作性が高められる。
【００２３】
収納室１０１内には隔壁１０５が設けられる。隔壁１０５は収納室１０１を、第１室１０２及び第２室１０３へと区画する。但し、両室を完全に仕切るのではなく、溶液が連通可能となるように、例えば隙間を開けて仕切っている。
【００２４】
隔壁１０５は相互接続部１０９を支持し、その端部を収納室１０１へ届かせる機能をも有している。上述のように収納室１０１が回動方向Ｊに沿って移動する際、収納室１０１近傍の相互接続部１０９は筐体１０７から離れるので、これに不要な張力やねじれが生じてしまう。これを避けるために、隔壁１０５は筐体１０７へと相互接続部１０９を近づける方向に回動可能とし、相互接続部１０９を収納室１０１の外部へと移動させる機構が採用されている。
【００２５】
図３はこのような隔壁１０５の回動を得るための構造を例示する断面図である。図３に示すように、収納室１０１の上部の一端において回転軸１０４が設けられており、隔壁１０７は回転軸１０４によって収納室１０１に取り付けられる。図３では収納室１０１に対して設定され、筐体１０７に対して移動する移動系座標が示されている。具体的には第１室１０２から第２室１０３へと向かう方向Ｐ及び鉛直方向Ｚ、これらのいずれにも直交する方向Ｑが設定されている。回転軸１０４は方向Ｑに平行であり、隔壁１０５は回動方向Ｋに沿って回動する。
【００２６】
ここでは相互接続部１０９として、原水供給管１０９ａ、フロートスイッチ１０９ｂ、塩水吸入管１０９ｃを例示している。
【００２７】
第１室１０２には原水供給管１０９ａを介して溶媒たる原水が供給される。第２室１０３には塩化ナトリウムなどの電解質Ｓが収納される。そして第１室１０２及び第２室１０３は連通可能であるので、電解質Ｓが溶媒に溶解して溶液Ｌが得られる。塩水吸入管１０９ｃは溶液Ｌを電気分解部１１０へ供給し、その一端が第２室１０３に配置される。
【００２８】
第１室１０２には溶液の量を測定するフロートスイッチ１０９ｂも挿入されており、溶液Ｌの液面が所定の位置に来ると、これを電気的な制御を行う部分に伝達し、原水供給が停止される。
【００２９】
より具体的には隔壁１０５は第１室１０２及び第２室１０３とを連通可能に区画する側面と、第１室１０２の上方に位置して鉛直方向Ｚと交差する上面とを有する。そして方向Ｑに沿って見れば上記側面と上面とで略Ｌ字型の形状を呈している。原水供給管１０９ａ、フロートスイッチ１０９ｂは隔壁１０５の上面で支持されて第１室１０２へと挿入されている。塩水吸入管１０９ｃは隔壁１０５の上面で支持されつつ、当該上面と第１室１０２との間を経由して、隔壁１０５の側面で支持されて第２室１０３へと延在している。
【００３０】
相互接続部１０９が隔壁１０５に取り付けられるので、隔壁１０５を回転軸１０４を中心に回動させることにより、相互接続部１０９を収納室１０１の外へと移動しやい。よって相互接続部１０９に不要な張力やねじれを与えることなくメンテナンスを行いやすい。隔壁１０５の上面は第１室１０２を覆うので、回転軸１０６に近いのは、第２室１０３よりも第１室１０２である方が望ましい。
【００３１】
メンテナンスをより容易とするために、収納室１０１は外箱３０１と、外箱３０１に包まれて着脱可能な内箱３００を有してもよい。この場合、内箱３００が隔壁１０５によって第１室１０２及び第２室１０３へと区画される。また回転軸１０４は外箱３０１に設けられる。隔壁１０５を回転軸１０４を中心に回動させて収納室１０１の上方を開放し、内箱３００を外箱３０１から取り出して洗浄することができる。
【００３２】
隔壁１０５の上面は第１室１０２は覆うことができるが、第２室１０３を覆わない。よって第２室１０３を覆う蓋を用いてもよい。当該蓋は例えば外箱３０１に設けてもよいし、内箱３００に設けてもよい。
【００３３】
例えば内箱３００を、その収納する溶液Ｌの液面が外部から視認可能な材料、たとえば透光性樹脂で作成し、外箱３０１の一部を開口することも望ましい。当該開口を介して電解質Ｓの残存量を視認することができる。
【００３４】
回転軸１０４は必ずしも方向Ｑと平行である必要はなく、また隔壁１０５の側面も方向Ｐと垂直である必要はない。例えば図４に斜視図として示すように、回転軸１０４が方向Ｑ，Ｚのいずれに対して傾斜してもよい。また隔壁１０５が方向Ｐ，Ｑのいずれに対して傾斜していてもよい。
【図面の簡単な説明】
【００３５】
【図１】本発明にかかる電解水生成装置の構成の概略を示す斜視図である。
【図２】収納室の回動を示す断面図である。
【図３】隔壁の回動を示す断面図である。
【図４】本発明の変形を示す斜視図である。
【符号の説明】
【００３６】
１０１  収納室
１０２  第１室
１０３  第２室
１０４，１０６  回転軸
１０５  隔壁
１０７  筐体
１０９ａ  原水供給管
１０９ｂ  フロートスイッチ
１０９ｃ  塩水吸入管
１１０  電気分解部
３００  内箱
３０１  外箱
Ｓ  電解質
Ｌ  溶液
Ｐ，Ｑ  方向
Ｚ  鉛直方向
【図１】
2006015303.tif 000003
【図２】
2006015303.tif 000004
【図３】
2006015303.tif 000005
【図４】
2006015303.tif 000006